(57)【要約】【課題】プレストレスコンクリートポールを製造するときに軸方向張力が付与される棒状鉄筋の切断作業を不要とすることのできるプレストレスコンクリートポール製造用鉄筋連結ボルトを提供する。【解決手段】本考案のプレストレスコンクリートポール製造用鉄筋連結ボルトは、半円柱状に形成された二つの連結ボルト構成部材１７，１８から構成されている。連結ボルト構成部材１７，１８はプレストレスコンクリートポールの製造時に突き合わされる突合面１７ａ，１８ａを有しているとともに、棒状鉄筋の軸方向端部に形成された連結部と嵌合する窪み部２２を突合面１７ａ，１８ａに有している。【選択図】図１
0003145688.tif 000002
【実用新案登録請求の範囲】
【請求項１】
プレストレスコンクリートポールの製造時にプレストレスコンクリートポールの棒状鉄筋に連結されるプレストレスコンクリートポール製造用鉄筋連結ボルトであって、半円柱状に形成された二つの連結ボルト構成部材からなり、該連結ボルト構成部材が前記プレストレスコンクリートポールの製造時に突き合わされる突合面を有するとともに、前記棒状鉄筋の軸方向端部に形成された連結部と嵌合する窪み部を前記突合面に有することを特徴とするプレストレスコンクリートポール製造用鉄筋連結ボルト。
【請求項２】
前記連結ボルト構成部材を分割するための割り溝を先端面と後端面に有することを特徴とする請求項１記載のプレストレスコンクリートポール製造用鉄筋連結ボルト。
【請求項３】
前記棒状鉄筋に連結される側の先端部に先細り状のテーパ部を有することを特徴とする請求項１又は２記載のプレストレスコンクリートポール製造用鉄筋連結ボルト。
【考案の詳細な説明】
【技術分野】
【０００１】
本考案は、電柱として用いられるプレストレスコンクリートポールの製造時に使用されるプレストレスコンクリートポール製造用鉄筋連結ボルトに関する。
【背景技術】
【０００２】
一般に、プレストレスコンクリートポールは、螺旋状鉄筋と複数本の棒状鉄筋（ＰＣ鋼線）とにより円筒状に編成された鉄筋籠を上下に分割された円筒状の型枠内に配置した後、型枠内にコンクリートを充填すると共に棒状鉄筋に軸方向張力を付与しながら型枠を周方向に回転させることによって製造される（例えば、特許文献１参照）。
このような方法によると、棒状鉄筋に付与された軸方向張力によって棒状鉄筋が軸方向に伸長した状態でコンクリートが凝固する。そして、コンクリートが凝固した後に軸方向張力が付与される前の状態に棒状鉄筋を戻すと、凝固したコンクリートが棒状鉄筋の軸方向に圧縮されるため、プレストレスが付与されたコンクリートポールを製造することができる。
【特許文献１】特開２００６−２５７７９６号公報（第３頁）
【考案の開示】
【考案が解決しようとする課題】
【０００３】
しかしながら、鉄筋籠の棒状鉄筋に軸方向張力を付与するために、従来では、棒状鉄筋の両端部を型枠の外側に突出させてプレストレスコンクリートポールを製造している。このため、プレストレスコンクリートポールを型枠から取り出すためには、型枠の外側に突出した棒状鉄筋の両端部を切断する必要があり、棒状鉄筋の切断作業に多くの時間と手間を要していた。
本考案は上述した事情に鑑みてなされたものであって、プレストレスコンクリートポールを製造するときに軸方向張力が付与される棒状鉄筋の切断作業を不要とすることのできるプレストレスコンクリートポール製造用鉄筋連結ボルトを提供することを目的とするものである。
【課題を解決するための手段】
【０００４】
上記課題を解決するために、請求項１記載の考案に係るプレストレスコンクリートポール製造用鉄筋連結ボルトは、プレストレスコンクリートポールの製造時にプレストレスコンクリートポールの棒状鉄筋に連結されるプレストレスコンクリートポール製造用鉄筋連結ボルトであって、半円柱状に形成された二つの連結ボルト構成部材からなり、該連結ボルト構成部材が前記プレストレスコンクリートポールの製造時に突き合わされる突合面を有するとともに、前記棒状鉄筋の軸方向端部に形成された連結部と嵌合する窪み部を前記突合面に有することを特徴とするものである。
【０００５】
請求項２記載の考案に係るプレストレスコンクリートポール製造用鉄筋連結ボルトは、請求項１記載のプレストレスコンクリートポール製造用鉄筋連結ボルトにおいて、前記連結ボルト構成部材を分割するための割り溝を先端面と後端面に有することを特徴とするものである。
請求項３記載の考案に係るプレストレスコンクリートポール製造用鉄筋連結ボルトは、請求項１又は２記載のプレストレスコンクリートポール製造用鉄筋連結ボルトにおいて、前記棒状鉄筋に連結される側の先端部に先細り状のテーパ部を有することを特徴とするものである。
【考案の効果】
【０００６】
本考案に係るプレストレスコンクリートポール製造用鉄筋連結ボルトによると、棒状鉄筋の両端部を型枠の外側に突出させなくてもプレストレスコンクリートポールを製造することが可能となるので、プレストレスコンクリートポールを製造するときに軸方向張力が付与される棒状鉄筋の切断作業を不要とすることができる。
【考案を実施するための最良の形態】
【０００７】
図１は、本考案の一実施形態に係るプレストレスコンクリートポール製造用鉄筋連結ボルトの側面図である。また、図２は図１のＡ−Ａ線に沿う矢視図、図３は本考案の一実施形態に係るプレストレスコンクリートポール製造用鉄筋連結ボルトの先端面を示す図、図４は同実施形態に係るプレストレスコンクリートポール製造用鉄筋連結ボルトの後端面を示す図であり、本考案の一実施形態に係るプレストレスコンクリートポール製造用鉄筋連結ボルト（以下、「鉄筋連結ボルト」という）１５は、半円柱状に形成された二つの連結ボルト構成部材１７，１８（図１参照）から構成されている。
【０００８】
また、鉄筋連結ボルト１５は連結ボルト構成部材１７，１８を分割するための割り溝１９，２０（図３及び図４参照）を有しており、これらの割り溝１９，２０は鉄筋連結ボルト１５の先端面１５ａと後端面１５ｂに形成されている。さらに、鉄筋連結ボルト１５は先細り状のテーパ部２１（図１参照）を有しており、このテーパ部２１は鉄筋連結ボルト１５の先端部に形成されている。
連結ボルト構成部材１７，１８はプレストレスコンクリートポールの製造時に突き合わされる突合面１７ａ，１８ａ（図１参照）を有しており、これらの突合面１７ａ，１８ａには、鉄筋籠の棒状鉄筋端部に形成された連結部と嵌合する窪み部２２（図１及び図２参照）が形成されている。
【０００９】
図５〜図８は本考案の一実施形態に係る鉄筋連結ボルトを用いてプレストレスコンクリートポールを製造する方法を説明するための図であり、プレストレスコンクリートポールを製造する場合は、図５に示すように、螺旋状鉄筋１１ａと複数本の棒状鉄筋１１ｂとにより円筒状に編成された鉄筋籠１１を上下に分割された円筒状の型枠１２内に配置する。次に、合成ゴム等からなるコンクリート付着防止リング１３（図５参照）を棒状鉄筋１１ｂの軸方向両端部に装着した後、図６に示すように、棒状鉄筋１１ｂの軸方向端部に形成された連結部１１ｃに鉄筋連結ボルト１５を連結する。具体的には、鉄筋連結ボルト１５を構成する連結ボルト構成部材１７，１８の窪み部２２に連結部１１ｃを嵌め入れて鉄筋連結ボルト１５を連結部１１ｃに連結する。
【００１０】
棒状鉄筋１１ｂの軸方向端部に形成された連結部１１ｃに鉄筋連結ボルト１５を連結したならば、次に、図７に示すように、型枠１２の端板１２ａに形成された貫通孔１４から鉄筋連結ボルト１５の後端部を突出させ、貫通孔１４から突出した鉄筋連結ボルト１５の雄ねじ部１６にナット２３の雌ねじ部２４を螺合させる。そして、鉄筋連結ボルト１５を介して棒状鉄筋１１ｂに軸方向張力を付与すると共に、図８に示すように、型枠１２内にコンクリート２５を充填し、型枠１２を周方向に回転させながらプレストレスコンクリートポールを製造する。
【００１１】
上述のように、鉄筋籠１１の棒状鉄筋１１ｂに軸方向張力を付与するに際して、型枠１２の端板１２ａに形成された貫通孔１４を挿通して棒状鉄筋１１ｂに連結される鉄筋連結ボルト１５と、この鉄筋連結ボルト１５の外周面に形成された雄ねじ部１６に螺合する雌ねじ部２４を有するナット２３とを用いて鉄筋籠１１の棒状鉄筋１１ｂに軸方向張力を付与すると、棒状鉄筋１１ｂの両端部を型枠１２の外側に突出させなくてもプレストレスコンクリートポールを製造することが可能となる。
【００１２】
したがって、プレストレスコンクリートポールを製造する際に、図１〜図４に示した鉄筋連結ボルト１５を用いることにより、軸方向張力が付与される棒状鉄筋１１ｂの切断作業を不要とすることができる。
また、型枠１２の端板１２ａに形成された貫通孔１４を挿通して棒状鉄筋１１ｂに連結される鉄筋連結ボルトとして、半円柱状に形成された二つの連結ボルト構成部材１７，１８からなり、かつ連結ボルト構成部材１７，１８を分割するための割り溝１９，２０を先端面と後端面に有する鉄筋連結ボルト１５を用いることにより、鉄筋籠１１の棒状鉄筋１１ｂに連結された鉄筋連結ボルト１５を容易に分解することができる。
【図面の簡単な説明】
【００１３】
【図１】本考案の一実施形態に係るプレストレスコンクリートポール製造用鉄筋連結ボルトの側面を示す図である。
【図２】図１のＡ−Ａ線に沿う矢視図である。
【図３】本考案の一実施形態に係るプレストレスコンクリートポール製造用鉄筋連結ボルトの先端面を示す図である。
【図４】本考案の一実施形態に係るプレストレスコンクリートポール製造用鉄筋連結ボルトの後端面を示す図である。
【図５】プレストレスコンクリートポールの鉄筋籠をプレストレスコンクリートポール製造用型枠内に配置した状態を示す図である。
【図６】鉄筋籠の棒状鉄筋にプレストレスコンクリートポール製造用鉄筋連結ボルトを連結した状態を示す図である。
【図７】棒状鉄筋に連結されたプレストレスコンクリートポール製造用鉄筋連結ボルトの後端部を型枠の端板から突出させた状態を示す図である。
【図８】鉄筋籠の棒状鉄筋に軸方向張力を付与すると共に型枠内にコンクリートを充填した状態を示す図である。
【符号の説明】
【００１４】
１１  鉄筋籠
１１ａ  螺旋状鉄筋
１１ｂ  棒状鉄筋
１１ｃ  連結部
１２  型枠
１２ａ  端板
１３  コンクリート付着防止リング
１４  貫通孔
１５  鉄筋連結ボルト
１５ａ  先端面
１５ｂ  後端面
１６  雄ねじ部
１７，１８  連結ボルト構成部材
１７ａ，１８ａ  突合面
１９，２０  割り溝
２１  テーパ部
２２  窪み部
２３  ナット
２４  雌ねじ部
２５  コンクリート
【図１】
0003145688.tif 000003
【図２】
0003145688.tif 000004
【図３】
0003145688.tif 000005
【図４】
0003145688.tif 000006
【図５】
0003145688.tif 000007
【図６】
0003145688.tif 000008
【図７】
0003145688.tif 000009
【図８】
0003145688.tif 000010